(57)【要約】      （修正有）【課題】構成が簡素で組付け易く、シャッタの機能が長期に亘り維持できる通風装置を得る。【解決手段】開閉装置５により風洞３の中心線方向に動いて開閉するシャッタを備えた通風装置について、開閉装置は、シャッタの背面部に連結される第１のスライダ７と、第１のスライダ７に所定の範囲でのスライドを可能に組合せられ、第１のスライダ７を止める一方向だけに効くフック９を有する弾性変形可能の腕状の係止部１０を一体に備えた第２のスライダ１１と、第１と第２のスライダ７，１１を収納し、第２のスライダ１１のスライドを規制し、第１のスライダ７を伸張方向に付勢するコイルスプリング１２を設けた、風洞３の中心線上に取付けられるケース１３とからなる。第１のスライダ７には、係止部１０のフック９が摺動する凹状の中心線方向に長い伸張側と収縮側からなる一連の平面略四角形状のループ状の伸縮路を設ける。【選択図】図１
2007315643.tif 000002
【特許請求の範囲】
【請求項１】
室内外を連通する風洞の室内側開口部を、この風洞内に設けられた開閉装置により同風洞の中心線方向に動いて開閉するシャッタを備えた通風装置であって、その開閉装置は、前記シャッタの背面部に連結される第１のスライダと、この第１のスライダに所定の範囲でのスライドを可能に組合せられ、前記第１のスライダを止めるラチェット状の一方向だけに効くフックを有する弾性変形可能の腕状の係止部を一体に備えた第２のスライダと、前記第１と前記第２のスライダを収納するとともに、前記第２のスライダのスライドを規制し、前記第１のスライダを伸張方向に付勢する付勢手段を設けた、前記風洞の中心線に沿って取付けられるケースとからなる。前記第１のスライダには、前記係止部のフックが摺動する凹状の中心線方向に長い伸張側と収縮側からなる一連の平面略四角形状のループ状の伸縮路を設ける。この伸縮路の一部には、前記係止部のフックが係脱可能に掛止まるラック状の複数の歯列を設け、前記第１のスライダの少なくとも最大伸張状態と最大収縮状態においては、前記第２のスライダの係止部が前記付勢手段の付勢力の掛かる方向と一致し、弾性撓みしないようにする。
【請求項２】
請求項１に記載の通風装置であって、ラック状の複数の歯列全てに対して、係止部が付勢手段の付勢力の掛かる方向と一致し、弾性撓みしないようした通風装置。
【請求項３】
請求項１又は請求項２のいずれかの記載に係る通風装置であって、シャッタの背面部中央に、縦断面Ｔ字状の連結片を背面側に突出し、これを上方からのスライドにより抱き込むように抱える保持片と嵌合溝と前記連結片を係着する弾性撓みの可能なフックとで構成した結合構造を第１のスライダの先端部に設けた通風装置。
【発明の詳細な説明】
【技術分野】
【０００１】
本発明は、室内外を連通する通気開口に室内側から挿入して装着し、室内を自然換気する通風装置に関するものである。
【背景技術】
【０００２】
高気密高断熱の住宅では、換気が不足しがちになるため室内外を連通する通気開口が設けられ、この通気開口に通風装置が設けられることが多い。通風装置としては、風洞の室内側開口部に、これを開閉するシャッタを設けたもので、シャッタは、開閉装置により風洞の中心線方向に動いて風洞の室内側開口部を開閉する。なお、この種の通風装置についての従来技術としては特許文献１，２に開示された技術がある。
【０００３】
【特許文献１】特開２００５−２７３９８０号公報
【特許文献２】特願平１０−１２３６１４号
【発明の開示】
【発明が解決しようとする課題】
【０００４】
従来の通風装置においてシャッタを開閉二様にできるものの他、開閉中立位置に保持できるようにしたものがある。これらは、開閉装置に工夫がなされ、溝カム方式やノック方式が採られ、いずれも、付勢手段でシャッタに連結した伸縮部材を付勢する構成が採られている。しかしながら、溝カム方式のものは構成が複雑で組立も面倒でコストが高くつく。また、ノック方式のものも溝カム方式のものも、シャッタによって隠れる、シャッタに連結した伸縮部材を組付けるのに手間取ることが多い。一番問題なのは、通常、全閉又は全開で使われることが多いシャッタであるが、全閉状態でも全開状態でも付勢手段の付勢力が伸縮部材に掛かっていて、これを保持する構造に常時、偏荷重として加わっていることである。この常時掛かる偏荷重は、これを保持する構造にストレスとなり、撓み癖を付けたり、疲労や破損の原因になり、シャッタの機能を喪失してしまうことにもなりかねない。
【０００５】
本発明は、上記した問題点を解決するためになされたものであり、その課題とするところは、構成が簡素で組付け易く、シャッタの機能が長期に亘り維持できる通風装置を得ることである。
【課題を解決するための手段】
【０００６】
上記課題を解決するために本発明は、室内外を連通する風洞の室内側開口部を、風洞内に設けられた開閉装置により風洞の中心線方向に動いて開閉するシャッタを備えた通風装置について、その開閉装置は、シャッタの背面部に連結される第１のスライダと、第１のスライダに所定の範囲でのスライドを可能に組合せられ、第１のスライダを止めるラチェット状の一方向だけに効くフックを有する弾性変形可能の腕状の係止部を一体に備えた第２のスライダと、第１と第２のスライダを収納するとともに、第２のスライダのスライドを規制し、第１のスライダを伸張方向に付勢する付勢手段を設けた、風洞の中心線に沿って取付けられるケースとからなる。第１のスライダには、係止部のフックが摺動する凹状の中心線方向に長い伸張側と収縮側からなる一連の平面略四角形状のループ状の伸縮路を設ける。伸縮路の一部には、係止部のフックが係脱可能に掛止まるラック状の複数の歯列を設け、第１のスライダの少なくとも最大伸張状態と最大収縮状態においては、第２のスライダの係止部が付勢手段の付勢力の掛かる方向と一致し、弾性撓みしないようにする手段を採用する。
【発明の効果】
【０００７】
本発明によれば、第１と第２のスライダを組付け、付勢手段とともにケースに収納するだけで開閉装置を組立てることができ、第１のスライダの最大伸張状態と最大収縮状態においては付勢手段の付勢力が係止部の方向と一致し、弾性撓みを起こさない状態であるので、付勢力が係止部の撓み癖や疲労や破損の原因になることが少なく、シャッタの機能が長期に亘り維持できる。
【発明を実施するための最良の形態】
【０００８】
本発明の通風装置は、室内外を連通するダクトやパイプに室内側から挿入して装着され、室内の換気に供されるものである。装置本体は、室内の壁面に沿って取付けられるフランジの中央にパイプ等に挿入される風洞を一体に備えた本体フレームと、風洞の室内側開口部を、風洞内に設けられた開閉装置により風洞の中心線方向に動いて開閉するシャッタとから構成されている。開閉装置は、シャッタの背面部に連結される樹脂製の角柱状の第１のスライダと、第１のスライダの長手方向に形成されたガイド溝によって、所定の範囲をスライドできるように組合せられ、第１のスライダを止めるラチェット状の伸張方向だけに効くフックを有する弾性変形可能の腕状の係止部を一体に備えた樹脂製の第２のスライダと、第１と第２のスライダを収納するとともに、第２のスライダのスライドを規制し、第１のスライダを伸張方向に付勢する付勢手段としてのコイルスプリングを設けた、風洞の中心線に沿って取付けられる有底の角筒状のケースとからなる。第１のスライダには、係止部のフックが摺動する凹状の中心線方向に長い伸張側と収縮側からなる一連の平面略四角形状のループ状の伸縮路が設けられている。伸縮路の収縮側の一部には、係止部のフックが係脱可能に掛止まるラック状の複数の歯列が設けられている。
【０００９】
第１のスライダの最大伸張状態では、ガイド溝の後端に第２のスライダが当ることで、コイルスプリングの伸張方向へのバネ力が受けられ、フックを有する弾性変形可能の腕状の係止部は全体は自由状態におかれている。また、最大収縮状態においては、第１のスライダの伸張側と収縮側の中間位の仕切壁における中心線上に形成された最上段の歯列の伸張側面に第２のスライダの係止部の端部が直線上で当ることで、コイルスプリングの伸張方向へのバネ力が受けられ、係止部は弾性変形しない状態で第１のスライダを保持する。第１のスライダの先端部にシャッタが、その背面部の中央で連結され、第１のスライダの伸縮でシャッタの開閉機能を果たす。係脱可能に掛止まるラック状の複数の歯列の一つに係止部のフックの端部が当接することによりシャッタは中間開度に保持されるが、この中間開度で使われることは、日常的ではない。このように本発明によれば、第１と第２のスライダを組付け、圧縮状態に保持したり、伸張状態に保持したりすることなく、自由状態のままのコイルスプリングとともにケースに収納するだけで開閉装置を組立てることができ、第１のスライダの最大伸張状態と最大収縮状態においてはコイルスプリングのバネ力が係止部の方向と一致し、弾性撓みを起こさない状態であるので、バネ力が係止部の撓み癖や疲労や破損の原因になることが少なく、シャッタの開閉機能が長期に亘り維持できる。
【００１０】
実施の形態１．
図１は、本実施の形態の通風装置の分解斜視図、図２は、開閉装置の分解斜視図、図３は、第１のスライダの背面図、図４は、第１のスライダの平面図、図５は、第１のスライダの側面図、図６は、第２のスライダの平面図、図７は、第２のスライダの側面図、図８は、伸張状態の開閉装置の断面図、図９は、収縮状態の開閉装置の断面図、図１０は、シャッタと開閉装置との連結を示す部分斜視図、図１１は、本体フレームの正面図、図１２は、他の形態の本体フレームの背面視の斜視図である。
【００１１】
本実施の形態の通風装置は、室内外を連通させるパイプやダクトに室内側から挿入して装着するものである。装置本体は、図１に示すように室内の壁面に沿って取付けられる角形の周囲に立上り１を持つフランジ２の中央にパイプ等に挿入される風洞３を一体に備えた本体フレーム４と、風洞３の室内側開口部を、風洞３内に設けられた図２に示す開閉装置５により風洞３の中心線方向に動いて開閉するシャッタ６とから構成されている。
【００１２】
開閉装置５は、シャッタ６の背面部にスライド連結される樹脂製の四角柱状の第１のスライダ７と、図３に示す第１のスライダ７の長手方向に形成された二列のガイド溝８によって、所定の範囲をスライドできるように組合せられ、第１のスライダ７を止めるラチェット状の伸張方向だけに効くフック９を有する弾性変形可能の腕状の係止部１０を一体に備えた樹脂製の第２のスライダ１１（図６，図７参照）、第１と第２のスライダ７，１１を組付け状態で収納するとともに、第２のスライダ１１のスライドを規制し、第１のスライダ７を伸張方向に付勢するコイルスプリング１２を設けた、風洞３の中心線に沿って取付けられる有底の四角筒状のケース１３とからなる。
【００１３】
第１のスライダ７には、係止部１０のフック９が摺動する凹状の中心線方向に長い伸張側１４と収縮側１５からなる一連の平面略四角形状のループ状の伸縮路１６が中心線を跨いで設けられている（図３参照）。伸縮路１６の収縮側１５には、係止部１０のフック９が係脱可能に掛止まるラック状の複数の歯列１７が設けられている。歯列１７の伸張側１４の面は斜面に構成され、収縮側１５の面はフック９の端部が当接し掛け止まるように構成されている。最先端の歯列１７の先端側には、伸張側１４の伸縮路１６に係止部１０のフック９を誘導する斜面１８を有する解除手段１９が設けられている。伸縮路１６の最後端で伸張側１４と収縮側１５を分ける仕切壁２０の端も収縮側へ勾配が付けられた解除手段１９が設けられている（図３参照）。伸縮路１６の収縮側１５は、最大収縮段に向かって幅方向外側に向かって広がって形成され、最大収縮段へ向かう溝底には係止部１０のフック９の摩擦抵抗を大きくする突条２１が形成されている。収縮側１５の伸縮路１６の広がりは、最収縮位置への移行経路を長く取り、シャッタ６が全閉状態になった確かな感触を得るためである。
【００１４】
第２のスライダ１１は、第１のスライダ７に略一致する寸法の平面長方形状の盤状に形成され、その先端部背面には、第１のスライダ７のガイド溝８内を摺動するストッパ突起２２が形成されている（図６参照）。係止部１０はストッパ突起２２の後方に設けられた窓の中央に背後にフック９を向けて形成されている。そして、後端背面には弾性変形可能な係止突起２３が形成され、この係止突起２３でケース１３に係止されるようになっている。
【００１５】
第１のスライダ７の先端にはシャッタ６をスライド結合させる結合構造２４が設けられている（図４，１０参照）。シャッタ６の背面部中央には、縦断面Ｔ字状の連結片２５が背面側に突出して形成され、これを上方からのスライドにより抱き込むように抱える保持片２６と嵌合溝２７と連結片２５を係着する弾性撓みの可能なフック２８とで結合構造２４が構成されている。これにより、シャッタ６の裏側で、目視できない箇所の第１のスライダ７とシャッタ６との連結を手間取らずに行うことができる。なお、シャッタ６の背面には結露防止のための断熱材２９が貼設され、本体フレーム４のフランジ２周辺に設けた立上り１には、シャッタ６との密着性及び全閉させる時の消音及び気密のためのパッキン３０が貼設されている。
【００１６】
さらに、フランジ２にはネジ付けする時のためのネジ付け用の凹部３１が四隅に設けられ、その中心にはネジ付けの際の位置の目安としてネジの先をガイドするガイド窪み３２が設けられている（図１１参照）。本体フレーム４の風洞３の室内開側口部寄りの風洞３内には図１１に示すように保持手段で保持されたフィルタが設けられ、フィルタの室内側開口部側の風洞３下部には円弧状の堰３３が形成され、フィルタに捉えられた霧等の水の室内側への浸入を防止している。なお、風洞３は、設置部の壁厚などの違いに対応すべく、長めに形成し、一部で連結した数本の周方向スリット３４を設け、必要に応じ周方向スリット３４で切断するようにしてもよい（図１２参照）。
【００１７】
図８に示す第１のスライダ７の最大伸張状態では、ガイド溝８の後端に第２のスライダ１１のストッパ突起２２が当ることで、コイルスプリング１２の伸張方向へのバネ力が受けられ、フック９を有する弾性変形可能の腕状の係止部１０全体は自由状態におかれている。また、図９に示す最大収縮状態においては、第１のスライダ７の伸張側１４と収縮側１５の中間位の仕切壁２０における中心線上に形成された最上段の歯列１７の伸張側１４の面に第２のスライダ１１の係止部１０の端部が直線上で当ることで、コイルスプリング１２の伸張方向へのバネ力が受けられ、係止部１０は弾性変形しない状態で第１のスライダ７を保持する。第１のスライダ７の先端部にシャッタ６が、その背面部の中央で連結され、第１のスライダ７の伸縮でシャッタ６の開閉機能を果たす。係脱可能に掛止まるラック状の複数の歯列１７の一つに係止部１０のフック９の端部が当接することによりシャッタ６は中間開度に保持されるが、この中間開度で使われることは、日常的ではない。
【００１８】
しかし、中間開度の状態でも歯列１７の掛かり止る面を仕切壁２０の中心線上にまで入り込ませれば、係止部１０に弾性撓みを起こさせずに第１のスライダ７を保持することができる。なお、歯列１７については伸縮路１６の伸張側１４に設けても良い。このように本実施の形態によれば、第１と第２のスライダ７，１１を組付け、自由状態のコイルスプリング１２とともにケース１３に収納するだけで開閉装置５を組立てることができ、第１のスライダ７の最大伸張状態と最大収縮状態においてはコイルスプリング１２のバネ力が係止部１０の腕の方向と一致し、弾性撓みを起こさない状態であるので、バネ力が係止部１０の撓み癖や疲労や破損の原因になることが少なく、シャッタ６の開閉機能が長期に亘り維持できる。
【図面の簡単な説明】
【００１９】
【図１】通風装置の分解斜視図である。（実施の形態１）
【図２】開閉装置の分解斜視図である。（実施の形態１）
【図３】第１のスライダの背面図である。（実施の形態１）
【図４】第１のスライダの平面図である。（実施の形態１）
【図５】第１のスライダの側面図である。（実施の形態１）
【図６】第２のスライダの平面図である。（実施の形態１）
【図７】第２のスライダの側面図である。（実施の形態１）
【図８】伸張状態の開閉装置の断面図である。（実施の形態１）
【図９】収縮状態の開閉装置の断面図である。（実施の形態１）
【図１０】シャッタと開閉装置との連結を示す部分斜視図である。（実施の形態１）
【図１１】本体フレームの正面図である。（実施の形態１）
【図１２】他の形態の本体フレームの背面視の斜視図である。（実施の形態１）
【符号の説明】
【００２０】
３  風洞、  ４  本体フレーム、  ５  開閉装置、  ６  シャッタ、  ７  第１のスライダ、  ８  ガイド溝、  ９  フック、  １０  係止部、  １１  第２のスライダ、  １２  コイルスプリング、  １３  ケース、  １４  伸張側、  １５  収縮側、  １６  伸縮路、  １７  歯列、  ２４  結合構造、  ２６  保持片、  ２７  嵌合溝、  ２８  フック。
【図１】
2007315643.tif 000003
【図２】
2007315643.tif 000004
【図３】
2007315643.tif 000005
【図４】
2007315643.tif 000006
【図５】
2007315643.tif 000007
【図６】
2007315643.tif 000008
【図７】
2007315643.tif 000009
【図８】
2007315643.tif 000010
【図９】
2007315643.tif 000011
【図１０】
2007315643.tif 000012
【図１１】
2007315643.tif 000013
【図１２】
2007315643.tif 000014